(57)【要約】      （修正有）【課題】部品が少なく、構造が簡単で、配置が合理的であり、組立が便利且つ迅速であり、また、動作の信頼性がより高く、生産コストがより低い電動挟持ホルダを提供する。【解決手段】電動挟持ホルダは、ハウジングと、ハウジングの両側に対向するように取り付けられている左挟持板２１及び右挟持板２２を含む挟持アセンブリと、駆動モータ３１、駆動ラック３３及び伝達ギア３４を含む駆動機構とを備えている。左挟持板２１には、左移動ラック２１１が設けられ、右挟持板２２には、右移動ラック２２１が設けられている。駆動モータ３１は、駆動ギア３２を介して駆動ラック３３の一端と伝動接続されている。駆動ラック３３の他端は、伝達ギア３４を駆動することにより左移動ラック２１１と右移動ラック２２１とを相対的に接近し又は離れるように駆動する。【選択図】図１
0003217851.tif 000002
【実用新案登録請求の範囲】
【請求項１】
ハウジングと、
前記ハウジングの両側に対向するように取り付けられている左挟持板及び右挟持板を含む挟持アセンブリと、
駆動モータ、駆動ギア、駆動ラック及び伝達ギアを含む駆動機構とを備え、
前記左挟持板には、左移動ラックが設けられ、前記右挟持板には、右移動ラックが設けられ、前記駆動モータは、前記駆動ギアを介して前記駆動ラックの一端と伝動接続され、前記駆動ラックが前記伝達ギアと噛み合っており、前記伝達ギアが前記左移動ラック及び前記右移動ラックとそれぞれ噛み合っており、前記駆動ラックの他端は、前記伝達ギアを駆動することにより前記左移動ラックと前記右移動ラックとを相対的に接近し又は離れるように駆動することを特徴とする電動挟持ホルダ。
【請求項２】
前記ハウジングは、トップハウジング及びボトムハウジングを含み、前記ボトムハウジングの両側には、前記左移動ラック及び前記右移動ラックに対応する左取付溝及び右取付溝がそれぞれ設けられていることを特徴とする請求項１に記載の電動挟持ホルダ。
【請求項３】
前記ボトムハウジング内には、固定スタンドが取り付けられ、前記左移動ラックには、第１短冊状位置決め孔が横方向に設けられ、前記右移動ラックには、第２短冊状位置決め孔が横方向に設けられ、前記固定スタンドには、前記第１短冊状位置決め孔に適合する第１位置決めピン及び前記第２短冊状位置決め孔に適合する第２位置決めピンが設けられていることを特徴とする請求項２に記載の電動挟持ホルダ。
【請求項４】
前記伝達ギアは、前記固定スタンドに取り付けられ、且つ前記左移動ラックと前記右移動ラックとの間に位置していることを特徴とする請求項３に記載の電動挟持ホルダ。
【請求項５】
前記ボトムハウジングに固定されている制御回路基板をさらに備え、前記ボトムハウジングの一端には、前記制御回路基板と接続されている圧力センサが取り付けられているボトムトレイがさらに設けられ、前記制御回路基板には、タッチモジュールが前記ハウジングの外周に位置するように取り付けられ、前記駆動モータと前記制御回路基板とは接続されていることを特徴とする請求項２に記載の電動挟持ホルダ。
【請求項６】
前記ボトムハウジングに固定されている制御回路基板をさらに備え、前記制御回路基板には、前記トップハウジング上に位置する赤外線検知モジュール及び前記ハウジングの外周に位置するタッチモジュールが取り付けられ、前記駆動モータと前記制御回路基板とは接続されていることを特徴とする請求項２に記載の電動挟持ホルダ。
【請求項７】
固定板、無線充電コイル及び無線充電回路基板を含む無線充電機構をさらに備え、前記固定板及び前記無線充電回路基板は、それぞれ前記ボトムハウジングに固定され、前記無線充電コイルは、前記固定板に取り付けられ且つ前記無線充電回路基板と接続され、前記無線充電回路基板と前記制御回路基板とは接続されていることを特徴とする請求項５又は６に記載の電動挟持ホルダ。
【請求項８】
前記固定板には、第３短冊状位置決め孔が縦方向に設けられ、前記駆動ラックには、前記第３短冊状位置決め孔に適合する第３位置決めピンが設けられていることを特徴とする請求項７に記載の電動挟持ホルダ。
【請求項９】
前記制御回路基板には、ＵＳＢインターフェースがさらに設けられていることを特徴とする請求項７に記載の電動挟持ホルダ。
【請求項１０】
前記駆動機構は、前記駆動ギアに対して前記駆動ラックと反対側において前記駆動ラックに対向するように配置され且つ前記駆動ギアと噛み合った協働運動ラックをさらに含み、前記ハウジング内には前記駆動ラックの移動方向に延在したスライド溝が設けられており、前記協働運動ラックがスライド溝に沿って移動可能に前記ハウジングに支持されていることを特徴とする請求項１に記載の電動挟持ホルダ。
【考案の詳細な説明】
【技術分野】
【０００１】
本考案は、挟持ホルダ分野に関し、特に電動挟持ホルダに関する。
【背景技術】
【０００２】
現在、市販されている携帯電話機やタブレット型パソコン用挟持ホルダのほとんどは、バネクランプ式が採用されているため、使用の際に手動でクランプアセンブリを開く必要があり、操作が不便である。また、駆動モータとバネとの協働によりクランプアセンブリの開閉を制御する挟持ホルダも少数存在するが、このような現在の電動挟持ホルダは、構造及び組立が複雑であり、部品が多く、製造コストが高い。
【考案の概要】
【考案が解決しようとする課題】
【０００３】
従来技術における問題を解決するために、本考案は、構造がより簡単な電動挟持ホルダを提供する。
【課題を解決するための手段】
【０００４】
本考案に係る電動挟持ホルダは、ハウジングと、前記ハウジングの両側に対向するように取り付けられている左挟持板及び右挟持板を含む挟持アセンブリと、駆動モータ、駆動ギア、駆動ラック及び伝達ギアを含む駆動機構とを備えている。前記左挟持板には、左移動ラックが設けられ、前記右挟持板には、右移動ラックが設けられている。前記駆動モータは、駆動ギアを介して前記駆動ラックの一端と伝動接続されている。前記駆動ラックが前記伝達ギアと噛み合っており、前記伝達ギアが前記左移動ラック及び前記右移動ラックとそれぞれ噛み合っている。前記駆動ラックの他端は、前記伝達ギアを駆動することにより前記左移動ラックと前記右移動ラックとを相対的に接近し又は離れるように駆動する。
【０００５】
本考案の更なる改良として、前記ハウジングは、トップハウジング及びボトムハウジングを含み、前記ボトムハウジングの両側には、前記左移動ラック及び前記右移動ラックに対応する左取付溝及び右取付溝がそれぞれ設けられている。
【０００６】
本考案の更なる改良として、前記ボトムハウジング内には、固定スタンドが取り付けられている。前記左移動ラックには、第１短冊状位置決め孔が横方向に設けられ、前記右移動ラックには、第２短冊状位置決め孔が横方向に設けられている。前記固定スタンドには、前記第１短冊状位置決め孔に適合する第１位置決めピン及び前記第２短冊状位置決め孔に適合する第２位置決めピンが設けられている。
【０００７】
本考案の更なる改良として、前記伝達ギアは、前記固定スタンドに取り付けられ、且つ前記左移動ラックと前記右移動ラックとの間に位置している。
【０００８】
本考案の更なる改良として、当該電動挟持ホルダは、前記ボトムハウジングに固定されている制御回路基板をさらに備えている。前記ボトムハウジングの一端には、前記制御回路基板と接続されている圧力センサが取り付けられているボトムトレイがさらに設けられている。前記制御回路基板には、タッチモジュールが前記ハウジングの外周に位置するように取り付けられている。前記駆動モータと前記制御回路基板とは接続されている。
【０００９】
本考案の更なる改良として、当該電動挟持ホルダは、前記ボトムハウジングに固定されている制御回路基板をさらに備えている。前記制御回路基板には、前記トップハウジング上に位置する赤外線検知モジュール及び前記ハウジングの外周に位置するタッチモジュールが取り付けられている。前記駆動モータと前記制御回路基板とは接続されている。
【００１０】
本考案の更なる改良として、当該電動挟持ホルダは、固定板、無線充電コイル及び無線充電回路基板を含む無線充電機構をさらに備えている。前記固定板及び前記無線充電回路基板は、それぞれ前記ボトムハウジングに固定され、前記無線充電コイルは、前記固定板に取り付けられ且つ前記無線充電回路基板と接続され、前記無線充電回路基板と前記制御回路基板とは接続されている。
【００１１】
本考案の更なる改良として、前記固定板には、第３短冊状位置決め孔が縦方向に設けられている。前記駆動ラックには、前記第３短冊状位置決め孔に適合する第３位置決めピンが設けられている。
【００１２】
本考案の更なる改良として、前記制御回路基板には、ＵＳＢインターフェースがさらに設けられている。
【００１３】
本考案の更なる改良として、前記駆動機構は、前記駆動ギアに対して前記駆動ラックと反対側において前記駆動ラックに対向するように配置された協働運動ラックをさらに含む。前記ハウジングには前記駆動ラックの移動方向に延在したスライド溝が設けられており、前記協働運動ラックがスライド溝に沿って移動可能に前記ハウジングに支持されている。
【考案の効果】
【００１４】
本考案は、当該電動挟持ホルダの部品が少なく、構造が簡単であり、配置が合理的であり、組立が便利且つ迅速であり、また、動作の信頼性がより高く、生産コストがより低いという有益な効果を有する。
【図面の簡単な説明】
【００１５】
【図１】本考案に係る電動挟持ホルダの１つの実施形態の分解構成概略図である。
【図２】本考案に係る電動挟持ホルダの挟持アセンブリと駆動機構との取付の構成概略図である。
【図３】本考案に係る電動挟持ホルダの挟持アセンブリの挟持状態での概略図である。
【図４】本考案に係る電動挟持ホルダの挟持アセンブリの開いた状態での概略図である。
【図５】本考案に係る電動挟持ホルダのもう１つの実施形態の分解構成概略図である。
【考案を実施するための形態】
【００１６】
図１〜図５に示すように、本考案は、ハウジング１、挟持アセンブリ２及び駆動機構を備えている電動挟持ホルダを開示している。挟持アセンブリ２は、ハウジング１の両側に対向するように取り付けられている左挟持板２１及び右挟持板２２を含む。左挟持板２１には、左移動ラック２１１が設けられ、右挟持板２２には、右移動ラック２２１が設けられている。左移動ラック２１１と右移動ラック２２１とは、同一平面上に且つ平行となるように設けられている。駆動機構は、駆動モータ３１、駆動ギア３２、駆動ラック３３及び伝達ギア３４を含む。駆動モータ３１は、駆動ギア３２を介して駆動ラック３３の一端と伝動接続されている。駆動ラック３３が伝達ギア３４と噛み合っており、伝達ギア３４が左移動ラック２１１及び右移動ラック２２１とそれぞれ噛み合っている。駆動ラック３３の他端は、伝達ギア３４を駆動することにより左移動ラック２１１と右移動ラック２２１とを相対的に接近又は離れさせる。駆動機構は、駆動モータ３１を介して駆動ラック３３を上下運動するように直接駆動し、且つ伝達ギア３４を回転させることにより、左挟持板２１と右挟持板２２とを相対的に接近し又は離れるように駆動し、これにより、携帯電話機又はタブレット型パソコンを挟持する機能を実現する。当該電動挟持ホルダは、構造が簡単であり、部品が少なく、配置が合理的であり、組立が便利且つ迅速であり、動作の信頼性が高く、生産コストが低く、挟持ホルダの自動締緩を実現でき、より便利に使用され得る。
【００１７】
本技術的解決手段において、ハウジング１は、トップハウジング１１及びボトムハウジング１２を含む。ボトムハウジング１２の両側には、左移動ラック２１１及び右移動ラック２２１に対応する左取付溝及び右取付溝がそれぞれ設けられている。左移動ラック２１１は、左取付溝内に左右にスライドできるように取り付けられ、右移動ラック２２１は、右取付溝内に左右にスライドできるように取り付けられている。
【００１８】
本技術的解決手段において、ボトムハウジング１２内には、固定スタンド１３が取り付けられている。左移動ラック２１１には、第１短冊状位置決め孔が横方向に設けられ、右移動ラック２２１には、第２短冊状位置決め孔が横方向に設けられている。固定スタンド１３には、第１短冊状位置決め孔に適合する第１位置決めピン１３１及び第２短冊状位置決め孔に適合する第２位置決めピン１３２が設けられている。それにより、固定スタンド１３は、第１位置決めピン１３１及び第２位置決めピン１３２を介して左移動ラック２１１及び右移動ラック２２１に対してスライド位置決めを行い、ガイドの役割を果たすこともできる。
【００１９】
本技術的解決手段において、伝達ギア３４は、固定スタンド１３に取り付けられ、且つ左移動ラック２１１と右移動ラック２２１との間に位置している。伝達ギア３４が回転する際に、左移動ラック２１１及び右移動ラック２２１は、同時に相対的に接近又は離れることができ、構造がより簡単である。
【００２０】
図１から図４に示すように、当該電動挟持ホルダは、ボトムハウジング１２に固定されている制御回路基板５をさらに備えている。ボトムハウジング１２の一端には、制御回路基板５と接続されている圧力センサ４１が取り付けられているボトムトレイ４がさらに設けられている。制御回路基板５には、タッチモジュール７がハウジング１の外周に位置するように取り付けられている。駆動モータ３１と制御回路基板５とは接続されている。使用の際に、タッチモジュール７をタッチすると、制御回路は、左、右挟持板が両側に移動して開くように駆動モータ３１を動作させる。携帯電話機又はタブレット型パソコンがセットされるとボトムトレイ４が押圧され、これによって圧力センサ４１が作動する。制御回路は、左、右挟持板が比較的近接して携帯電話機又はタブレット型パソコンをクランプするように、駆動モータ３１を逆転させる。左、右挟持板を緩める必要がある場合、タッチモジュール７を再度タッチすればよく、操作がより簡単である。
【００２１】
図５に示すように、一部の実施形態において、当該電動挟持ホルダは、ボトムハウジング１２に固定されている制御回路基板５をさらに備えている。制御回路基板５には、トップハウジング１１上に位置する赤外線検知モジュール５１及びハウジング１の外周に位置するタッチモジュール７が取り付けられている。駆動モータ３１と制御回路基板５とは接続されている。使用の際に、タッチモジュール７をタッチすると、制御回路は、左、右挟持板が両側に移動して開くように駆動モータ３１を動作させる。携帯電話機又はタブレット型パソコンがセットされた後、赤外線検知モジュール５１が作動し、このときに制御回路は、左、右挟持板が比較的近接して携帯電話機又はタブレット型パソコンをクランプするように、駆動モータ３１を逆転させる。左、右挟持板を緩める必要がある場合、タッチモジュール７を再度タッチすればよく、操作が簡単である。
【００２２】
一部の実施形態において、当該電動挟持ホルダは、ボトムハウジング１２に固定されている制御回路基板５をさらに備えている。ボトムハウジング１２の一端には、制御回路基板５と接続されている圧力センサ４１が取り付けられているボトムトレイ４がさらに設けられている。制御回路基板５には、赤外線検知モジュール５１及びタッチモジュール７がさらに取り付けられている。使用の際に、携帯電話機又はタブレット型パソコンが当該ホルダに近づくと、赤外線検知モジュール５１が作動し、このときに制御回路は、左、右挟持板が両側に移動して開くように駆動モータ３１を動作させる。携帯電話機又はタブレット型パソコンがセットされた後、圧力センサ４１が作動し、このときに制御回路は、左、右挟持板が比較的近接して携帯電話機又はタブレット型パソコンをクランプするように、駆動モータ３１を逆転させる。左、右挟持板を緩める必要がある場合、タッチモジュール７を再度タッチすればよい。
【００２３】
本技術的解決手段において、当該電動挟持ホルダは、固定板６１、無線充電コイル６２及び無線充電回路基板６３を含む無線充電機構をさらに備えている。固定板６１及び無線充電回路基板６３は、それぞれボトムハウジング１２に固定され、無線充電コイル６２は、固定板６１に取り付けられ且つ無線充電回路基板６３と接続され、無線充電回路基板６３と制御回路基板５とは接続されており、これにより、無線充電機能を有する携帯電話機又はタブレット型パソコンに対して無線充電を行うことができ、より便利に使用することができる。
【００２４】
本技術的解決手段において、固定板６１には、第３短冊状位置決め孔が縦方向に設けられている。駆動ラック３３には、第３短冊状位置決め孔に適合する第３位置決めピン３３１が設けられている。これにより、駆動ラック３３に対する位置決め作用及びガイド作用を果たすことができ、動作がより安定する。
【００２５】
本技術的解決手段において、制御回路基板５には、ＵＳＢインターフェース５２がさらに設けられている。駆動機構は、電源モジュールをさらに含む。制御回路基板５と電源モジュールとは、駆動モータ３１及び無線充電機構に給電するために接続されている。電源モジュールは、内蔵バッテリであるが、もちろん、ＵＳＢインターフェース５２を介して直接給電してもよく、内蔵バッテリを充電してもよい。
【００２６】
本技術的解決手段において、駆動機構は、駆動ギア３２に対して駆動ラック３３と反対側において駆動ラック３３に対向するように配置され且つ駆動ギア３２と噛み合った協働運動ラック３５をさらに含む。ハウジング１には駆動ラック３３の移動方向に延在したスライド溝１４が設けられており、協働運動ラック３５がスライド溝１４に沿って移動可能にハウジング１に支持されている。これにより、駆動ギア３２の他側は、効果的に支持され、駆動ギア３２の正常動作が確保される。
【００２７】
本考案に係る電動挟持ホルダは、部品が少なく、構造が簡単であり、配置が合理的であり、組立が便利且つ迅速であり、また、動作がより安定して信頼性がより高く、生産コストがより低い。
【００２８】
上記内容は、具体的な好ましい実施形態と共に本考案について詳細に説明したものであり、本考案の具体的な実施は、これらの説明だけに限定されるものではない。本考案が属する分野の当業者は、本考案の概念から逸脱しない限り、ほかの複数の簡単な演繹又は置換を行うことができる。これらのすべてが本考案の保護範囲に属するとみなされるべきである。
【符号の説明】
【００２９】
１  ハウジング
１１  トップハウジング
１２  ボトムハウジング
１３  固定スタンド
１３１  第１位置決めピン
１３２  第２位置決めピン
１４  スライド溝
２  挟持アセンブリ
２１  左挟持板
２２  右挟持板
２１１  左移動ラック
２２１  右移動ラック
３１  駆動モータ
３２  駆動ギア
３３  駆動ラック
３３１  第３位置決めピン
３４  伝達ギア
３５  協働運動ラック
４  ボトムトレイ
４１  圧力センサ
５  制御回路基板
５１  赤外線検知モジュール、
５２  ＵＳＢインターフェース
６１  固定板
６２  無線充電コイル
６３  無線充電回路基板
７  タッチモジュール
【図１】
0003217851.tif 000003
【図２】
0003217851.tif 000004
【図３】
0003217851.tif 000005
【図４】
0003217851.tif 000006
【図５】
0003217851.tif 000007